(57)【要約】      （修正有）【課題】一つの制御基板ボックス内に複数の制御基板を収納して接続する場合など、限られたスペースの基板収納体内において配線の取り回しスペースを心配せずに回路基板同士を容易に接続できる遊技機の提供。【解決手段】互いに接続される複数の制御基板Ｃ1〜Ｃ3を備えた遊技機において、その制御基板Ｃ1〜Ｃ3を同一の基板ボックスＢに収納保持して、各制御基板Ｃ1〜Ｃ3に、それぞれコネクタプラグを設けると共に、基板ボックスＢにおける各制御基板Ｃ1〜Ｃ3のコネクタプラグと対応する位置に、該コネクタプラグを差し込むためのレセプタブルを設け、互いに接続すべき関係にある各制御基板Ｃ1〜Ｃ3のコネクタプラグをそれぞれ差し込むための各レセプタブルを配線により互いに接続。【選択図】図１
2010137065.tif 000002
【特許請求の範囲】
【請求項１】
互いに接続される複数の回路基板を備えた遊技機において、前記複数の回路基板は、同一の基板収納体に収納保持されて、各回路基板には、それぞれ第１コネクタが設けられていると共に、前記基板収納体における各回路基板の前記第１コネクタと対応する位置には、該第１コネクタを接続するための第２コネクタがそれぞれ設けられ、
互いに接続すべき関係にある各回路基板の第１コネクタをそれぞれ接続するための前記第２コネクタは、互いに電気的に接続されていることを特徴とする遊技機。
【請求項２】
基板収納体は、複数の回路基板のほぼ全体を覆う基板ボックスであることを特徴とする請求項１に記載の遊技機。
【請求項３】
複数の回路基板には、遊技全体を制御する主制御基板と、遊技に関する音声を発生させる音声発生装置を制御する音声制御基板と、遊技に関するランプを制御するランプ制御基板との少なくとも３つの基板が含まれることを特徴とする請求項１又は２に記載の遊技機。
【発明の詳細な説明】
【技術分野】
【０００１】
本発明は、互いに接続される複数の制御基板を備えた遊技機に関し、更に詳しくは、限られたスペースの基板収納体内において、配線の取回しスペースの確保の必要等をなくして、制御基板同士を簡単に接続できる遊技機に関するものである。
【背景技術】
【０００２】
遊技機の制御基板としては、遊技全体を制御する主制御基板に、液晶図柄表示装置を制御する液晶制御基板と、主に払出し装置を制御する枠制御基板を接続した構成が一般的であった。また、従来、遊技に関する音声を発生する音声発生装置やランプ・ＬＥＤは、主制御基板で直接制御されていた。
【０００３】
近年、音声制御とランプ・ＬＥＤの制御を主制御基板より分離して、それぞれ音声制御基板及びランプ制御基板として独立させて、個別の制御基板ボックスに収納した構造が普及しつつある。このような構造にすると、各制御基板の制御範囲が限定されているために、遊技機の機種が異なる場合に、主制御基板のみの交換、ランプ基板のみの交換等が可能となって、従来と比べ制御基板の互換性を高めることができる。
【０００４】
このように、音声制御基板及びランプ制御基板を主制御基板から分離させて、別体構造にした場合には、別体の音声制御基板及びランプ制御基板を全体的に主制御基板で制御するために、制御基板ボックス内の制御基板同士を配線で接続する必要が生ずる。例えば、制御基板に配線の端子をハンダ付けして制御基板同士を接続するのは、煩雑である。
【０００５】
また、配線の端部にコネクタを設けたコネクタ配線を使用すれば、配線の接続そのものは、上記ハンダ付けよりは容易であるが、複数の制御基板ボックスの間で配線が複数本交差して、配線が煩雑になることは、上記ハンダ付けと同様である。また、遊技機の裏面側であっても、配線が交差すると、遊技機を構成する各種装置を脱着・開閉する際に邪魔であり、該装置の開閉時等に既設の配線を引っ掛けて、断線させる危険もある。
【０００６】
上記した問題を解決するために、複数の制御基板を一つの制御基板ボックス内に収納することも考えられるが、該制御基板ボックスは、コンパクト化、不正防止の観点から、基板収納スペースに余裕がなく、該ボックス内において配線を取り回すスペースを確保するのは、実際上容易でない。
【発明の概要】
【発明が解決しようとする課題】
【０００７】
本発明の課題は、一つの制御基板ボックス内に複数の制御基板を収納して接続する場合など、限られたスペースの基板収納体内において配線の取り回しスペースを心配せずに回路基板同士を容易に接続できる遊技機の提供である。
【課題を解決するための手段】
【０００８】
上記課題を解決するための請求項１の発明の遊技機は、互いに接続される複数の回路基板を備えた遊技機において、前記複数の回路基板は、同一の基板収納体に収納保持されて、各回路基板には、それぞれ第１コネクタが設けられていると共に、前記基板収納体における各回路基板の前記第１コネクタと対応する位置には、該第１コネクタを接続するための第２コネクタがそれぞれ設けられ、互いに接続すべき関係にある各回路基板の第１コネクタをそれぞれ接続するための前記第２コネクタは、互いに電気的に接続されていることを、その特徴としている。
【０００９】
このため、互いに接続すべき関係にある各回路基板を基板収納体に収納して、各回路基板の第１コネクタを基板収納体の各第２コネクタに接続すると、それのみで、各回路基板は、互いに接続される。このため、基板収納体に収納保持される回路基板同士の接続を容易に行える。
【００１０】
また、請求項２の発明は、複数の回路基板のほぼ全体を覆う基板ボックスによって基板収納体が構成されたものである。回路基板は、その物理的保護と不正防止のために、回路基板全体を覆う基板ボックスに収納される場合が多い。このような基板ボックスでは、内部スペースに制限があるために、その内部において回路基板に配線を直接に接続することは容易ではなく、配線の取り回しスペースの確保も必要となるが、本発明によれば、互いに接続すべき関係にある複数の回路基板を基板ボックス内に収納保持するのみで、各回路基板が接続されるために、本発明の効果が顕著に奏される。
【００１１】
更に、請求項３の発明は、主制御基板と音声制御基板とランプ制御基板との少なくとも３つの基板で制御部が構成される遊技機においては、各制御基板間において制御信号のやり取りを頻繁に行うために、各制御基板間の接続が不可欠となる。このような場合に、本発明を実施すると、各制御基板間の接続が容易となって、本発明の効果が一層顕著に奏される。
【図面の簡単な説明】
【００１２】
【図１】カバー体１２を取り外した状態における本発明を実施したパチンコ機Ｐの全体の裏面図である。
【図２】本発明を実施したパチンコ機Ｐの全体の側面図である。
【図３】カバー体１２を取り外して、基板ボックスＢ内に主制御基板Ｃ1 とランプ制御基板Ｃ2 と音声制御基板Ｃ3 とが収納された状態をパチンコ機Ｐの裏面側から見た図である。
【図４】図３のＸ−Ｘ線断面図である。
【図５】図４の部分拡大図である。
【図６】本発明の他の実施形態の拡大断面図である。
【図７】制御基板のブロック線図である。
【符号の説明】
【００１３】
Ｂ：基板ボックス（基板収納体）
Ｃ1 ：主制御基板
Ｃ2 ：ランプ制御基板
Ｃ3 ：音声制御基板
Ｐ：パチンコ機（遊技機）
１７ａ，１７ｂ，１８，１９：コネクタプラグ（第１コネクタ）
２１ａ，２１ｂ，２２，２３：レセプタブル（第２コネクタ）
２４，２５：配線
【発明を実施するための形態】
【００１４】
以下、複数の実施例を挙げて、本発明について更に詳細に説明する。図１は、カバー体１２を取り外した状態における本発明を実施したパチンコ機Ｐの全体の裏面図であり、図２は、本発明を実施したパチンコ機Ｐの全体の側面図であり、図３は、カバー体１２を取り外して、基板ボックスＢ内に主制御基板Ｃ1 とランプ制御基板Ｃ2 と音声制御基板Ｃ3 とが収納された状態をパチンコ機Ｐの裏面側から見た図であり、図４は、図３のＸ−Ｘ線断面図であり、図５は、図４の部分拡大図である。図１及び図２に示されるように、パチンコ機Ｐの木枠１の前側には、前枠２が開閉可能となって装着されている。前枠２の裏面には、その開口部の周縁部においてベース枠３が組み付けられ、該ベース枠３の枠内に遊技盤（図示せず）が着脱可能に嵌め込まれている。
【００１５】
また、遊技盤の裏面の周縁部には、裏セット機構４が配設されていて、該裏セット機構４の主体部を構成する裏セット板５は、裏カバー体６の周囲を取り囲むようにして枠状に構成されている。また、前記裏セット板５は、その一側部（図１の右側）において裏セットヒンジ７によってベース枠３に対して一側に開閉可能に組み付けられている。この裏セット板５は、その自由端側（図１の左側）において複数の締具８によってベース枠３に対して係脱可能に締め付けられることにより、裏セット板５は、ベース枠３に対して閉じ状態で保持されている。更に、裏セット板５には、球タンク９、タンクレール１０、下部集合樋、賞球排出装置などが配設され、これらによって裏セット機構４が構成される。そして、前記裏カバー体６の裏面には、複数の制御基板を収納して、その全体を覆う基板ボックスＢが一体に取付けられている。
【００１６】
引き続いて、図３ないし図５を参照にして、本発明に係る部分である前記基板ボックスＢと、該ボックスＢ内に収納される各制御基板Ｃ1 〜Ｃ3 に関して説明する。基板ボックスＢは、前記裏カバー体６に一体に取付けられるボックス本体１１と、該ボックス本体１１の開口全体を覆うためのカバー体１２とで構成される。この基板ボックスＢには、主制御基板Ｃ1 とランプ制御基板Ｃ2 と音声制御基板Ｃ3 との３種類の制御基板が収納保持されて、ランプ制御基板Ｃ2 及び音声制御基板Ｃ3 は、いずれも主制御基板Ｃ1 と接続されて、後述するように該主制御基板Ｃ1 が発生する制御信号に基づいて音声の発生、ランプの点灯を制御している。
【００１７】
ボックス本体１１は、方形枠体１３の内部に中板１４が一体に設けられて、該中板１４の上面に、相互に直交し、しかも方形枠体１３の各辺と平行な仕切り板１５，１６が設けられている。このため、ボックス本体１１の内部は、該仕切り板１５，１６によって各制御基板Ｃ1 〜Ｃ3 の形状及び大きさに対応するように方形状に区画されている。図５に詳細に示されているように、方形枠体１３と各仕切り板１５，１６の上端部には、各制御基板Ｃ1 〜Ｃ3 のほぼ全周を支持可能にするための段差部１５ａ（仕切り板１６の段差部は、図示されていない）が設けられている。また、方形枠体１３に関しても、前記仕切り板１５の段差部１５ａと同一高さの位置に段差部１３ａが設けられている。この基板ボックスＢは、内部に各制御基板Ｃ1 〜Ｃ3 を収納保持して、これの物理的保護を行うと同時に、制御基板の交換などの不正防止を併せて行うボックスである。
【００１８】
各制御基板Ｃ1 〜Ｃ3 は、その表面に電子部品（図示せず）が実装され、その裏面の特定位置にコネクタプラグ１７ａ，１７ｂ，１８，１９がそれぞれ設けられている。これに対して、ボックス本体１１の中板１４には、制御基板Ｃ1 〜Ｃ3 の各コネクタプラグ１７ａ，１７ｂ，１８，１９と対応する位置に、それぞれのコネクタプラグを差込み接続するレセプタブル２１ａ，２１ｂ，２２，２３が設けられている。このうち、主制御基板Ｃ1 については、その２箇所にコネクタプラグ１７ａ，１７ｂが設けられており、ボックス本体１１の側には、これに対応した２つのレセプタブル２１ａ，２１ｂがそれぞれ設けられている。
【００１９】
そして、ボックス本体１１の側においては、主制御基板Ｃ1 の一方のコネクタプラグ１７ａが差し込まれる一方のレセプタブル２１ａと、ランプ制御基板Ｃ2のコネクタプラグ１８が差し込まれるレセプタブル２２とは、中板１４の裏側の部分において配線２４によって予め接続されている。全く同様にして、主制御基板Ｃ1 の他方のコネクタプラグ１７ｂが差し込まれる他方のレセプタブル２１ｂと、音声制御基板Ｃ3 のコネクタプラグ１９が差し込まれるレセプタブル２３とは、中板１４の裏側の部分において配線２５によって予め接続されている。このようにして、ボックス本体１１においては、特定のレセプタブル同士を予め配線２４，２５によって接続してあり、ボックス本体１１の底面開口には、前記配線２４，２５を配した後に、底板２６が接着などの手段により一体に取付けられて、ボックスＢ内に収納された各制御基板Ｃ1,Ｃ2,Ｃ3 に対してボックスＢの裏面側から不正行為が及ぶのを防止している。
【００２０】
また、各制御基板Ｃ1 〜Ｃ3 を収納保持したボックス本体１１には、透明のカバー体１２が取付けられる。このカバー体１２は、裏面視の右端部においてヒンジ部２７を介してボックス本体１１にヒンジ連結されていると共に、その左端部において封印部２８によってボックス本体１１に開閉不能に連結されている。この構造によって、ボックス本体１１にカバー体１２を取付けた後には、封印部２８の部分を切断しない限り、カバー体１２が取り外されないようになっていて、不正を即座に発見可能にしてある。
【００２１】
また、図４に示されるように、前記カバー体１２におけるヒンジ部２７の反対側の縁部には段差部２９が設けられ、該カバー体１２における段差部２９の低い部位を形成する下段部１２ａは、基板ボックスＢに収納された主制御基板Ｃ1 の表面に近接して、これと平行な面を形成している。また、カバー体１２の前記下段部１２ａの端縁部は、下方にわん曲されて、前記方形枠体１３の上端面に載置された形態となっている。カバー体１２の前記下段部１２ａには、該カバー体１２を閉じた際に、主制御基板Ｃ1 の上面に突設されたレセプタブル６１ａ〜６１ｄが該下段部１２ａとの当接を回避するための透孔６２が形成されている。このため、カバー体１２を閉じた状態において、主制御基板Ｃ1 の前記レセプタブル６１ａ〜６１ｄは、前記透孔６２から外部に突出している。なお、図３において、レセプタブル６１ａは、始動口スイッチ、ゲートスイッチ、大入賞口カウントスイッチ等の各種スイッチと接続されるものであり、レセプタブル６１ｂ〜６１ｄは、それぞれ枠制御基板Ｃ5 、液晶制御基板Ｃ4 及び電源と接続されるものである。また、図４において、６３は、各種スイッチと接続されるレセプタブル６１ａに差し込まれたプラグを示す。
【００２２】
このため、基板ボックスＢのカバー体１２を取り外した状態において、ボックス本体１１における各仕切り板１５，１６で区画された部分にそれぞれ対応する制御基板Ｃ1 〜Ｃ3 を収納して、それらのコネクタプラグ１７ａ，１７ｂ，１８，１９を、ボックス本体１１の側に設けられた対応する各レセプタブル２１ａ，２１ｂ，２２，２３に差し込むのみで、互いに接続される関係にある制御基板同士（主制御基板Ｃ1 とランプ制御基板Ｃ2 及び主制御基板Ｃ1 と音声制御基板Ｃ3 ）は、予め中板１４の裏側に配されている配線２４，２５によって互いに接続される。なお、ボックス本体１１に各制御基板Ｃ1 〜Ｃ3 を収納保持した後に、ボックス本体１１にカバー体１２を取り付けて、両者を封印部２８を介して封印する。
【００２３】
よって、接続時において、ハンダ付け、配線の結束・取回し、固定等の配線作業を一切行うことなく、ボックス本体１１に制御基板Ｃ1 〜Ｃ3 を収納保持するのみで、制御基板同士の接続が極めて容易に行われ、しかも接続の誤りもなくなる。また、基板ボックスＢの側には、配線を取り回すためのスペースを設ける必要は一切ないために、該基板ボックスＢの側に設けるスペースは、制御基板Ｃ1〜Ｃ3 を収納可能な必要最低限のスペースで足りる。
【００２４】
また、上記のようにして、各制御基板Ｃ1 〜Ｃ3 のコネクタプラグ１７ａ，１７ｂ，１８，１９を、ボックス本体１１の側に設けられた対応する各レセプタブル２１ａ，２１ｂ，２２，２３に差し込んで、各制御基板Ｃ1 〜Ｃ3 を基板ボックス内の所定位置に取付けると、各制御基板Ｃ1 〜Ｃ3 は、平行かつ同一高さレベル、即ち同一平面上に並ぶようにして配置される。各制御基板Ｃ1 〜Ｃ3 を上記のようにして配置するのは、パチンコ機Ｐの基板ボックスＢ内においては、内部に収容する各制御基板Ｃ1 〜Ｃ3 を不正行為から保護する必要があり、このために、カバー体１２を透明体で形成すると共に、基板ボックスＢ内の各制御基板Ｃ1 〜Ｃ3 上の部品（特に、ＲＯＭチップ）を一方向から全部視認できるようにし、不正行為の実行を抑制しつつ、その発見を容易にするためである。なお、不正防止の観点からは、各制御基板は、高さを同一にして基板ボックス内に配置する必要はなく、高低差を設けて配置してもよい。
【００２５】
また、基板ボックスＢ側に取付けられるレセプタブル同士の接続に関しては、図６に示されるように、プリント基板６４を使用してもよい。即ち、プリント基板６４の上に２つのレセプタブル２１ａ，２２（２１ｂ，２３）を電気的に接続した状態で取付けておいて、該ブリント基板６４をビス６５等を使用して、中板１４の裏面側に取付けて固定してもよい。これにより、２つのレセプタブル同士の接続作業が一層容易となる。
【００２６】
次に、図７を参照にして、制御基板Ｃ1 〜Ｃ5 を備えたパチンコ機の制御ブロックの概略について説明する。主制御基板Ｃ1 には、ＣＰＵ３１、ＲＯＭ３２、ＲＡＭ３３、通信インターフェース３４及びスイッチ入力回路３５からなる主制御部が配備され、ＣＰＵ３１にＲＯＭ３２、ＲＡＭ３３、通信インターフェース３４及びスイッチ入力回路３５が内部バスを介して接続されている。なお、ＲＯＭ３２には、該パチンコ機を全体的に制御する制御プログラムや設計データが格納されており、スイッチ入力回路３５には、例えば、各種始動入賞口や特定入賞口に配備された各種入賞検出スイッチ３６が接続され、その信号がＣＰＵ３１に入力される。ＣＰＵ３１は、各種入賞検出スイッチ３６からの検出信号などに応じてパチンコ機の全体を制御する。
【００２７】
また、ランプ制御基板Ｃ2 には、ＣＰＵ４１、ＲＯＭ４２、ＲＡＭ４３、通信インターフェース４４からなるランプ制御部が配備されている。なお、ＲＯＭ４２には、ランプを専用に制御するための制御プログラムやランプ点灯用の制御データが記憶されており、ＣＰＵ４１には、各種ドライバ４５を介して各種ランプ４６が接続されている。
【００２８】
また、音声制御基板Ｃ3 には、ＣＰＵ５１、ＲＯＭ５２、ＲＡＭ５３、通信インターフェース５４からなる音声制御部が配備されている。ＣＰＵ５１には、ＳＳＧ（ソフトウェア・コントロールド・サウンドジェネレータ）５５、アンプ５６及びスピーカ５７からなる音声発生部が接続されている。なお、ＲＯＭ５２には、音声を専用に制御するための制御プログラムや音声用の制御データが記憶されている。更に、液晶制御基板Ｃ4 は、液晶表示装置を制御するものであり、枠制御基板Ｃ5 は、入賞球に対して払出しを行う払出装置を制御するためのものである。
【００２９】
また、主制御基板Ｃ1 の通信インターフェース３４は、ランプ制御基板Ｃ2 に配備された通信インターフェース４４に配線２４を介して接続されていると共に、音声制御基板Ｃ3 に配備された通信インターフェース５４に配線２５を介して接続されており、主制御基板Ｃ1 からランプ制御基板Ｃ2 や音声制御基板Ｃ3 への一方向通信のみが可能とされている。また、主制御基板Ｃ1 の通信インターフェース３４は、配線６６，６７を介して液晶制御基板Ｃ4 及び枠制御基板Ｃ5 の各インターフェース（図示せず）に接続されている。
【００３０】
例えば、主制御基板Ｃ1 から音声制御基板Ｃ3 の音声制御部への通信を一例として説明する。主制御部が遊技状態に応じて音声出力する場合、例えば、電源投入後、始動口入賞検出時、図柄変動中、図柄発生中、図柄大当り成立、大入賞口開放中、大当り中における大入賞口閉鎖時、パチンコ機の異常発生時等に応じて音声出力する場合、通信インターフェース３４を介して各遊技状態に応じたコマンドデータを音声制御基板Ｃ3 に出力する。このコマンドデータの音声制御基板Ｃ3 に対する出力は、配線２５を介して行われる。
【００３１】
主制御部から送られたコマンドデータは、音声制御部の通信インターフェース５４を介してＲＡＭ５３に記憶される。ＣＰＵ５１は、コマンドデータの種別に従ってＲＯＭ５２から音声データを読み出してＳＳＧ５５に出力し、ＳＳＧ５５がアナログ波形を作成してアンプ５６に供給し、アンプ５６にて増幅されてスピーカ５７から所定の音声が出力される。
【００３２】
また、主制御基板Ｃ1 からランプ制御基板Ｃ2 のランプ制御部への通信も、同様にして、主制御部が各種遊技状態に応じたコマンドデータを通信インターフェース３４及び配線２４を介してランプ制御基板Ｃ2 に出力して行われる。
【００３３】
主制御部から送られたコマンドデータは、ランプ制御部の通信インターフェース４４を介してＲＡＭ４３に記憶される。ＣＰＵ４１は、コマンドデータの種別に従ってＲＯＭ４２からランプ点灯用データを読み出して各種ドライバ４５を駆動し、各種ランプ４６を点灯駆動或いは点滅駆動する。
【００３４】
なお、上記実施形態は、一つの基板ボックスＢに主制御基板Ｃ1 、ランプ制御基板Ｃ2 及び音声制御基板Ｃ3 との３種類の制御基板を収納するものであるが、基板ボックスＢ内に収納される制御基板は、これらの組合わせに限定されるものではない。
【００３５】
また、上記実施形態は、複数の制御基板を基板収納体に収納保持して、制御基板同士を接続するものであるが、本発明を構成する回路基板は、上記制御基板に限られず、他の回路基板、例えば中継基板、ドライブ基板等であってもよい。
【図１】
2010137065.tif 000003
【図２】
2010137065.tif 000004
【図３】
2010137065.tif 000005
【図４】
2010137065.tif 000006
【図５】
2010137065.tif 000007
【図６】
2010137065.tif 000008
【図７】
2010137065.tif 000009
【手続補正書】
【提出日】平成22年3月17日(2010.3.17)
【手続補正１】
【補正対象書類名】特許請求の範囲
【補正対象項目名】全文
【補正方法】変更
【補正の内容】
【特許請求の範囲】
【請求項１】
互いに接続される複数の回路基板と、該回路基板を収納保持する基板ボックスと、を備えた遊技機であって、
前記基板ボックスは、
一方に向けて開口するボックス本体と、
該ボックス本体の前記開口を覆う透明なカバー体と、
前記ボックス本体に対して前記カバー体を開放不能に連結する封印部と、を備え、
前記複数の回路基板は、一つの前記ボックス本体に対して同一平面上に並べた状態にして収納保持され、
各回路基板には、接続される他の回路基板側に寄せた位置にコネクタを配置して双方のコネクタ同士を対向させると共にその各コネクタ同士を電気的に接続してなり、
互いに接続される複数の回路基板を一つの基板ボックスに収納して電気的な接続部ごと封印部で開放不能に封印するようにしたことを特徴とする遊技機。
【請求項２】
複数の回路基板には、遊技全体を制御する主制御基板と、遊技に関する音声を発生させる音声発生装置を制御する音声制御基板と、遊技に関するランプを制御するランプ制御基板との少なくとも３つの基板が含まれることを特徴とする請求項１に記載の遊技機。
【手続補正２】
【補正対象書類名】明細書
【補正対象項目名】全文
【補正方法】変更
【補正の内容】
【発明の詳細な説明】
【技術分野】
【０００１】
本発明は、互いに接続される複数の制御基板を備えた遊技機に関し、更に詳しくは、限られたスペースの基板収納体内において、配線の取回しスペースの確保の必要等をなくして、制御基板同士を簡単に接続できる遊技機に関するものである。
【背景技術】
【０００２】
遊技機の制御基板としては、遊技全体を制御する主制御基板に、液晶図柄表示装置を制御する液晶制御基板と、主に払出し装置を制御する枠制御基板を接続した構成が一般的であった。また、従来、遊技に関する音声を発生する音声発生装置やランプ・ＬＥＤは、主制御基板で直接制御されていた。
【０００３】
近年、音声制御とランプ・ＬＥＤの制御を主制御基板より分離して、それぞれ音声制御基板及びランプ制御基板として独立させて、個別の制御基板ボックスに収納した構造が普及しつつある。このような構造にすると、各制御基板の制御範囲が限定されているために、遊技機の機種が異なる場合に、主制御基板のみの交換、ランプ基板のみの交換等が可能となって、従来と比べ制御基板の互換性を高めることができる。
【０００４】
このように、音声制御基板及びランプ制御基板を主制御基板から分離させて、別体構造にした場合には、別体の音声制御基板及びランプ制御基板を全体的に主制御基板で制御するために、制御基板ボックス内の制御基板同士を配線で接続する必要が生ずる。例えば、制御基板に配線の端子をハンダ付けして制御基板同士を接続するのは、煩雑である。
【０００５】
また、配線の端部にコネクタを設けたコネクタ配線を使用すれば、配線の接続そのものは、上記ハンダ付けよりは容易であるが、複数の制御基板ボックスの間で配線が複数本交差して、配線が煩雑になることは、上記ハンダ付けと同様である。また、遊技機の裏面側であっても、配線が交差すると、遊技機を構成する各種装置を脱着・開閉する際に邪魔であり、該装置の開閉時等に既設の配線を引っ掛けて、断線させる危険もある。
【０００６】
上記した問題を解決するために、複数の制御基板を一つの制御基板ボックス内に収納することも考えられるが、該制御基板ボックスは、コンパクト化、不正防止の観点から、基板収納スペースに余裕がなく、該ボックス内において配線を取り回すスペースを確保するのは、実際上容易でない。
【発明の概要】
【発明が解決しようとする課題】
【０００７】
本発明の課題は、一つの制御基板ボックス内に複数の制御基板を収納して接続する場合など、限られたスペースの基板収納体内において配線の取り回しスペースを心配せずに回路基板同士を容易に接続できる遊技機の提供である。
【課題を解決するための手段】
【０００８】
上記課題を解決するための請求項１の発明は、互いに接続される複数の回路基板と、該回路基板を収納保持する基板ボックスと、を備えた遊技機であって、
前記基板ボックスは、
一方に向けて開口するボックス本体と、
該ボックス本体の前記開口を覆う透明なカバー体と、
前記ボックス本体に対して前記カバー体を開放不能に連結する封印部と、を備え、
前記複数の回路基板は、一つの前記ボックス本体に対して同一平面上に並べた状態にして収納保持され、
各回路基板には、接続される他の回路基板側に寄せた位置にコネクタを配置して双方のコネクタ同士を対向させると共にその各コネクタ同士を電気的に接続してなり、
互いに接続される複数の回路基板を一つの基板ボックスに収納して電気的な接続部ごと封印部で開放不能に封印するようにしたこと、をその特徴としている。
【発明の効果】
【０００９】
本発明は、複数の回路基板のほぼ全体を覆う基板ボックスによって基板収納体が構成されたものである。回路基板は、その物理的保護と不正防止のために、回路基板全体を覆う基板ボックスに収納される場合が多い。このような基板ボックスでは、内部スペースに制限があるために、その内部において回路基板に配線を直接に接続することは容易ではなく、配線の取り回しスペースの確保も必要となるが、本発明によれば、互いに接続すべき関係にある複数の回路基板を基板ボックス内に収納保持するのみで、各回路基板が接続されるために、本発明の効果が顕著に奏される。
【００１０】
更に、請求項２の発明は、主制御基板と音声制御基板とランプ制御基板との少なくとも３つの基板で制御部が構成される遊技機においては、各制御基板間において制御信号のやり取りを頻繁に行うために、各制御基板間の接続が不可欠となる。このような場合に、本発明を実施すると、各制御基板間の接続が容易となって、本発明の効果が一層顕著に奏される。
【図面の簡単な説明】
【００１１】
【図１】カバー体１２を取り外した状態における本発明を実施したパチンコ機Ｐの全体の裏面図である。
【図２】本発明を実施したパチンコ機Ｐの全体の側面図である。
【図３】カバー体１２を取り外して、基板ボックスＢ内に主制御基板Ｃ１ とランプ制御基板Ｃ２ と音声制御基板Ｃ３ とが収納された状態をパチンコ機Ｐの裏面側から見た図である。
【図４】図３のＸ−Ｘ線断面図である。
【図５】図４の部分拡大図である。
【図６】本発明の他の実施形態の拡大断面図である。
【図７】制御基板のブロック線図である。
【発明を実施するための形態】
【００１２】
以下、複数の実施例を挙げて、本発明について更に詳細に説明する。図１は、カバー体１２を取り外した状態における本発明を実施したパチンコ機Ｐの全体の裏面図であり、図２は、本発明を実施したパチンコ機Ｐの全体の側面図であり、図３は、カバー体１２を取り外して、基板ボックスＢ内に主制御基板Ｃ１ とランプ制御基板Ｃ２ と音声制御基板Ｃ３ とが収納された状態をパチンコ機Ｐの裏面側から見た図であり、図４は、図３のＸ−Ｘ線断面図であり、図５は、図４の部分拡大図である。図１及び図２に示されるように、パチンコ機Ｐの木枠１の前側には、前枠２が開閉可能となって装着されている。前枠２の裏面には、その開口部の周縁部においてベース枠３が組み付けられ、該ベース枠３の枠内に遊技盤（図示せず）が着脱可能に嵌め込まれている。
【００１３】
また、遊技盤の裏面の周縁部には、裏セット機構４が配設されていて、該裏セット機構４の主体部を構成する裏セット板５は、裏カバー体６の周囲を取り囲むようにして枠状に構成されている。また、前記裏セット板５は、その一側部（図１の右側）において裏セットヒンジ７によってベース枠３に対して一側に開閉可能に組み付けられている。この裏セット板５は、その自由端側（図１の左側）において複数の締具８によってベース枠３に対して係脱可能に締め付けられることにより、裏セット板５は、ベース枠３に対して閉じ状態で保持されている。更に、裏セット板５には、球タンク９、タンクレール１０、下部集合樋、賞球排出装置などが配設され、これらによって裏セット機構４が構成される。そして、前記裏カバー体６の裏面には、複数の制御基板を収納して、その全体を覆う基板ボックスＢが一体に取付けられている。
【００１４】
引き続いて、図３ないし図５を参照にして、本発明に係る部分である前記基板ボックスＢと、該ボックスＢ内に収納される各制御基板Ｃ１ 〜Ｃ３ に関して説明する。基板ボックスＢは、前記裏カバー体６に一体に取付けられるボックス本体１１と、該ボックス本体１１の開口全体を覆うためのカバー体１２とで構成される。この基板ボックスＢには、主制御基板Ｃ１ とランプ制御基板Ｃ２ と音声制御基板Ｃ３ との３種類の制御基板が収納保持されて、ランプ制御基板Ｃ２ 及び音声制御基板Ｃ３ は、いずれも主制御基板Ｃ１ と接続されて、後述するように該主制御基板Ｃ１ が発生する制御信号に基づいて音声の発生、ランプの点灯を制御している。
【００１５】
ボックス本体１１は、方形枠体１３の内部に中板１４が一体に設けられて、該中板１４の上面に、相互に直交し、しかも方形枠体１３の各辺と平行な仕切り板１５，１６が設けられている。このため、ボックス本体１１の内部は、該仕切り板１５，１６によって各制御基板Ｃ１ 〜Ｃ３ の形状及び大きさに対応するように方形状に区画されている。図５に詳細に示されているように、方形枠体１３と各仕切り板１５，１６の上端部には、各制御基板Ｃ１ 〜Ｃ３ のほぼ全周を支持可能にするための段差部１５ａ（仕切り板１６の段差部は、図示されていない）が設けられている。また、方形枠体１３に関しても、前記仕切り板１５の段差部１５ａと同一高さの位置に段差部１３ａが設けられている。この基板ボックスＢは、内部に各制御基板Ｃ１ 〜Ｃ３ を収納保持して、これの物理的保護を行うと同時に、制御基板の交換などの不正防止を併せて行うボックスである。
【００１６】
各制御基板Ｃ１ 〜Ｃ３ は、その表面に電子部品（図示せず）が実装され、その裏面の特定位置にコネクタプラグ１７ａ，１７ｂ，１８，１９がそれぞれ設けられている。これに対して、ボックス本体１１の中板１４には、制御基板Ｃ１ 〜Ｃ３ の各コネクタプラグ１７ａ，１７ｂ，１８，１９と対応する位置に、それぞれのコネクタプラグを差込み接続するレセプタブル２１ａ，２１ｂ，２２，２３が設けられている。このうち、主制御基板Ｃ１ については、その２箇所にコネクタプラグ１７ａ，１７ｂが設けられており、ボックス本体１１の側には、これに対応した２つのレセプタブル２１ａ，２１ｂがそれぞれ設けられている。
【００１７】
そして、ボックス本体１１の側においては、主制御基板Ｃ１ の一方のコネクタプラグ１７ａが差し込まれる一方のレセプタブル２１ａと、ランプ制御基板Ｃ2のコネクタプラグ１８が差し込まれるレセプタブル２２とは、中板１４の裏側の部分において配線２４によって予め接続されている。全く同様にして、主制御基板Ｃ１ の他方のコネクタプラグ１７ｂが差し込まれる他方のレセプタブル２１ｂと、音声制御基板Ｃ３ のコネクタプラグ１９が差し込まれるレセプタブル２３とは、中板１４の裏側の部分において配線２５によって予め接続されている。このようにして、ボックス本体１１においては、特定のレセプタブル同士を予め配線２４，２５によって接続してあり、ボックス本体１１の底面開口には、前記配線２４，２５を配した後に、底板２６が接着などの手段により一体に取付けられて、ボックスＢ内に収納された各制御基板Ｃ１ ,Ｃ２ ,Ｃ３ に対してボックスＢの裏面側から不正行為が及ぶのを防止している。
【００１８】
また、各制御基板Ｃ１ 〜Ｃ３ を収納保持したボックス本体１１には、透明のカバー体１２が取付けられる。このカバー体１２は、裏面視の右端部においてヒンジ部２７を介してボックス本体１１にヒンジ連結されていると共に、その左端部において封印部２８によってボックス本体１１に開閉不能に連結されている。この構造によって、ボックス本体１１にカバー体１２を取付けた後には、封印部２８の部分を切断しない限り、カバー体１２が取り外されないようになっていて、不正を即座に発見可能にしてある。
【００１９】
また、図４に示されるように、前記カバー体１２におけるヒンジ部２７の反対側の縁部には段差部２９が設けられ、該カバー体１２における段差部２９の低い部位を形成する下段部１２ａは、基板ボックスＢに収納された主制御基板Ｃ１ の表面に近接して、これと平行な面を形成している。また、カバー体１２の前記下段部１２ａの端縁部は、下方にわん曲されて、前記方形枠体１３の上端面に載置された形態となっている。カバー体１２の前記下段部１２ａには、該カバー体１２を閉じた際に、主制御基板Ｃ１ の上面に突設されたレセプタブル６１ａ〜６１ｄが該下段部１２ａとの当接を回避するための透孔６２が形成されている。このため、カバー体１２を閉じた状態において、主制御基板Ｃ１ の前記レセプタブル６１ａ〜６１ｄは、前記透孔６２から外部に突出している。なお、図３において、レセプタブル６１ａは、始動口スイッチ、ゲートスイッチ、大入賞口カウントスイッチ等の各種スイッチと接続されるものであり、レセプタブル６１ｂ〜６１ｄは、それぞれ枠制御基板Ｃ５ 、液晶制御基板Ｃ４ 及び電源と接続されるものである。また、図４において、６３は、各種スイッチと接続されるレセプタブル６１ａに差し込まれたプラグを示す。
【００２０】
このため、基板ボックスＢのカバー体１２を取り外した状態において、ボックス本体１１における各仕切り板１５，１６で区画された部分にそれぞれ対応する制御基板Ｃ１ 〜Ｃ３ を収納して、それらのコネクタプラグ１７ａ，１７ｂ，１８，１９を、ボックス本体１１の側に設けられた対応する各レセプタブル２１ａ，２１ｂ，２２，２３に差し込むのみで、互いに接続される関係にある制御基板同士（主制御基板Ｃ１ とランプ制御基板Ｃ２ 及び主制御基板Ｃ１ と音声制御基板Ｃ３ ）は、予め中板１４の裏側に配されている配線２４，２５によって互いに接続される。なお、ボックス本体１１に各制御基板Ｃ１ 〜Ｃ３ を収納保持した後に、ボックス本体１１にカバー体１２を取り付けて、両者を封印部２８を介して封印する。
【００２１】
よって、接続時において、ハンダ付け、配線の結束・取回し、固定等の配線作業を一切行うことなく、ボックス本体１１に制御基板Ｃ１ 〜Ｃ３ を収納保持するのみで、制御基板同士の接続が極めて容易に行われ、しかも接続の誤りもなくなる。また、基板ボックスＢの側には、配線を取り回すためのスペースを設ける必要は一切ないために、該基板ボックスＢの側に設けるスペースは、制御基板Ｃ１ 〜Ｃ３ を収納可能な必要最低限のスペースで足りる。
【００２２】
また、上記のようにして、各制御基板Ｃ１ 〜Ｃ３ のコネクタプラグ１７ａ，１７ｂ，１８，１９を、ボックス本体１１の側に設けられた対応する各レセプタブル２１ａ，２１ｂ，２２，２３に差し込んで、各制御基板Ｃ１ 〜Ｃ３ を基板ボックス内の所定位置に取付けると、各制御基板Ｃ１ 〜Ｃ３ は、平行かつ同一高さレベル、即ち同一平面上に並ぶようにして配置される。各制御基板Ｃ１ 〜Ｃ３ を上記のようにして配置するのは、パチンコ機Ｐの基板ボックスＢ内においては、内部に収容する各制御基板Ｃ１ 〜Ｃ３ を不正行為から保護する必要があり、このために、カバー体１２を透明体で形成すると共に、基板ボックスＢ内の各制御基板Ｃ１ 〜Ｃ３ 上の部品（特に、ＲＯＭチップ）を一方向から全部視認できるようにし、不正行為の実行を抑制しつつ、その発見を容易にするためである。なお、不正防止の観点からは、各制御基板は、高さを同一にして基板ボックス内に配置する必要はなく、高低差を設けて配置してもよい。
【００２３】
また、基板ボックスＢ側に取付けられるレセプタブル同士の接続に関しては、図６に示されるように、プリント基板６４を使用してもよい。即ち、プリント基板６４の上に２つのレセプタブル２１ａ，２２（２１ｂ，２３）を電気的に接続した状態で取付けておいて、該ブリント基板６４をビス６５等を使用して、中板１４の裏面側に取付けて固定してもよい。これにより、２つのレセプタブル同士の接続作業が一層容易となる。
【００２４】
次に、図７を参照にして、制御基板Ｃ１ 〜Ｃ５ を備えたパチンコ機の制御ブロックの概略について説明する。主制御基板Ｃ１ には、ＣＰＵ３１、ＲＯＭ３２、ＲＡＭ３３、通信インターフェース３４及びスイッチ入力回路３５からなる主制御部が配備され、ＣＰＵ３１にＲＯＭ３２、ＲＡＭ３３、通信インターフェース３４及びスイッチ入力回路３５が内部バスを介して接続されている。なお、ＲＯＭ３２には、該パチンコ機を全体的に制御する制御プログラムや設計データが格納されており、スイッチ入力回路３５には、例えば、各種始動入賞口や特定入賞口に配備された各種入賞検出スイッチ３６が接続され、その信号がＣＰＵ３１に入力される。ＣＰＵ３１は、各種入賞検出スイッチ３６からの検出信号などに応じてパチンコ機の全体を制御する。
【００２５】
また、ランプ制御基板Ｃ２ には、ＣＰＵ４１、ＲＯＭ４２、ＲＡＭ４３、通信インターフェース４４からなるランプ制御部が配備されている。なお、ＲＯＭ４２には、ランプを専用に制御するための制御プログラムやランプ点灯用の制御データが記憶されており、ＣＰＵ４１には、各種ドライバ４５を介して各種ランプ４６が接続されている。
【００２６】
また、音声制御基板Ｃ３ には、ＣＰＵ５１、ＲＯＭ５２、ＲＡＭ５３、通信インターフェース５４からなる音声制御部が配備されている。ＣＰＵ５１には、ＳＳＧ（ソフトウェア・コントロールド・サウンドジェネレータ）５５、アンプ５６及びスピーカ５７からなる音声発生部が接続されている。なお、ＲＯＭ５２には、音声を専用に制御するための制御プログラムや音声用の制御データが記憶されている。更に、液晶制御基板Ｃ４ は、液晶表示装置を制御するものであり、枠制御基板Ｃ５ は、入賞球に対して払出しを行う払出装置を制御するためのものである。
【００２７】
また、主制御基板Ｃ１ の通信インターフェース３４は、ランプ制御基板Ｃ２ に配備された通信インターフェース４４に配線２４を介して接続されていると共に、音声制御基板Ｃ３ に配備された通信インターフェース５４に配線２５を介して接続されており、主制御基板Ｃ１ からランプ制御基板Ｃ２ や音声制御基板Ｃ３ への一方向通信のみが可能とされている。また、主制御基板Ｃ１ の通信インターフェース３４は、配線６６，６７を介して液晶制御基板Ｃ４ 及び枠制御基板Ｃ５ の各インターフェース（図示せず）に接続されている。
【００２８】
例えば、主制御基板Ｃ１ から音声制御基板Ｃ３ の音声制御部への通信を一例として説明する。主制御部が遊技状態に応じて音声出力する場合、例えば、電源投入後、始動口入賞検出時、図柄変動中、図柄発生中、図柄大当り成立、大入賞口開放中、大当り中における大入賞口閉鎖時、パチンコ機の異常発生時等に応じて音声出力する場合、通信インターフェース３４を介して各遊技状態に応じたコマンドデータを音声制御基板Ｃ３ に出力する。このコマンドデータの音声制御基板Ｃ３ に対する出力は、配線２５を介して行われる。
【００２９】
主制御部から送られたコマンドデータは、音声制御部の通信インターフェース５４を介してＲＡＭ５３に記憶される。ＣＰＵ５１は、コマンドデータの種別に従ってＲＯＭ５２から音声データを読み出してＳＳＧ５５に出力し、ＳＳＧ５５がアナログ波形を作成してアンプ５６に供給し、アンプ５６にて増幅されてスピーカ５７から所定の音声が出力される。
【００３０】
また、主制御基板Ｃ１ からランプ制御基板Ｃ２ のランプ制御部への通信も、同様にして、主制御部が各種遊技状態に応じたコマンドデータを通信インターフェース３４及び配線２４を介してランプ制御基板Ｃ２ に出力して行われる。
【００３１】
主制御部から送られたコマンドデータは、ランプ制御部の通信インターフェース４４を介してＲＡＭ４３に記憶される。ＣＰＵ４１は、コマンドデータの種別に従ってＲＯＭ４２からランプ点灯用データを読み出して各種ドライバ４５を駆動し、各種ランプ４６を点灯駆動或いは点滅駆動する。
【００３２】
なお、上記実施形態は、一つの基板ボックスＢに主制御基板Ｃ１ 、ランプ制御基板Ｃ２ 及び音声制御基板Ｃ３ との３種類の制御基板を収納するものであるが、基板ボックスＢ内に収納される制御基板は、これらの組合わせに限定されるものではない。
【００３３】
また、上記実施形態は、複数の制御基板を基板収納体に収納保持して、制御基板同士を接続するものであるが、本発明を構成する回路基板は、上記制御基板に限られず、他の回路基板、例えば中継基板、ドライブ基板等であってもよい。
【符号の説明】
【００３４】
Ｂ：基板ボックス
Ｃ１ ：主制御基板（回路基板）
Ｃ２ ：ランプ制御基板（回路基板）
Ｃ３ ：音声制御基板（回路基板）
Ｐ：パチンコ機（遊技機）
１１：ボックス本体
１２：カバー体
１７ａ，１７ｂ，１８，１９：コネクタ
２８：封印部